【事件の表示】
　特願２０１５−２２９８３５「二次元コード、二次元コードの作成システムおよび解析プログラム」拒絶査定不服審判事件〔平成２８年　２月２５日出願公開、特開２０１６−　２８３６４〕について、次のとおり審決する。
【結　論】
　本件審判の請求は、成り立たない。
【理　由】
第１．手続の経緯
　本願は、平成２５年１１月７日（優先権主張平成２４年１１月１３日　日本国）を国際出願日とする出願（特願２０１４−５４６９５８号）の一部を、平成２７年１１月２５日に新たな特許出願としたものであって、平成２８年９月１４日付けで拒絶理由が通知され、平成２８年１１月９日付けで手続補正がなされたが、平成２８年１１月２８日付けで拒絶査定がなされ、これに対し、平成２９年３月６日に拒絶査定不服審判の請求がなされると同時に手続補正がなされたものである。
第２．補正却下の決定
［結論］
　　平成２９年３月６日付けの手続補正を却下する。
　
［理由］
１．本願発明と補正後の発明
　平成２９年３月６日付けの手続補正（以下「本件補正」という。）は、平成２８年１１月９日に提出された手続補正書の特許請求の範囲の請求項４に記載された、　
「【請求項４】
　二次元のマトリックス状のパターンとして配置され、二進コードで表されるデータを表す複数のセルと、
　前記複数のセルの位置を決定するために用いられる位置検出パターンと、
　任意の絵柄が配置され、前記複数のセル及び前記位置検出パターンは配置されない絵柄領域であって、周囲には前記複数のセルが配置される絵柄領域と、
を備える二次元コード。」
という発明（以下、「本願発明」という。）を、補正後の特許請求の範囲の請求項４に記載された、
「【請求項４】
　二次元のマトリックス状のパターンとして配置され、二進コードで表されるデータを表す複数のセルと、
　前記複数のセルの位置を決定するために用いられる位置検出パターンと、
　任意の絵柄が配置され、前記複数のセル及び前記位置検出パターンは配置されない絵柄領域であって、周囲には前記複数のセルが配置される絵柄領域と、
を備え
、
　前記位置検出パターン及び前記絵柄領域以外の領域は、誤り訂正の単位に応じて、複数のブロックに分割されている単一の
という発明（以下、「補正後の発明」という。）に変更する補正事項を含むものである。
　
２．補正の適否
（１）補正の目的要件
　本件補正のうち上記補正事項は、本願発明の「二次元コード」の「位置検出パターン」及び「絵柄領域」以外の領域が、「
誤り訂正の単位に応じて、複数のブロックに分割されている
単一の
　そして、本件補正は、願書に最初に添付した明細書、特許請求の範囲又は図面に記載した事項の範囲内においてなされたものと認められ、特許法第１７条の２第３項（新規事項）の規定に適合している。
　また、特許法１７条の２第４項（シフト補正）の規定に違反するものでもない。
　
（２）独立特許要件
　本件補正は特許請求の範囲の減縮を目的とするものであるから、補正後の発明が特許出願の際独立して特許を受けることができるものであるのかどうかについて以下検討する。
　　
ア．補正後の発明
 上記「１．本願発明と補正後の発明」の項で、「補正後の発明」として認定したとおりのものである。
　
イ．引用文献、引用発明
（ア）引用文献１
　原査定の拒絶の理由に引用された、特開２００４−２０６６７４号公報（以下、「引用文献１」という。）には、図面とともに以下の事項が記載されている。（下線は、当審において付加した。以下、同じ。）
　　
ａ．「【０００１】
【発明の属する技術分野】
本発明は、２次元に配置されたセルの明暗により情報を符号化してなるコードを有する２次元コードおよびその形成構造に関する。」
ｂ．「【０００６】
【発明が解決しようとする課題】
しかしながら、上記レンズなどの場合は、組付け後にも外から見えるように配置される表示意匠部分が大部分を占めており、残りのわずかなスペースに、位置決め穴５２と識別記号５０、５１とが配置されるため、識別記号５０、５１を表示するためのスペースは非常に小さくなる。そのような小さなスペースに識別記号と２次元コードを並べて配置すると、識別記号が非常に小さくなり、作業者が目視により読み取りできないという問題があった。
【０００７】
本発明は、上記点に鑑みなされたものであり、目視により読取可能な識別記号と光学的に読取可能な識別コードの両方を小さなスペースに表示可能にする２次元コードおよびその形成構造を提供することを目的としている。」
ｃ．「【００１７】
【発明の実施の形態】
（一実施形態）
図１は本発明の一実施形態に係る２次元コード１１の一例を示しており、図２は２次元コード１１を、その全体構成を示すために、データセルを省略して表示している。２次元コード１１は、マトリックス型２次元コードの１つであるＱＲコードをベースとしている。ＱＲコードは、黒色の正方形を印字してなる暗セルと、その暗セルが存在しない部分として白色の正方形となっている明セルとを２次元的に組み合わせることで、数字、英字、漢字、カナ、記号などの情報を符号化し、矩形状に形成されているものである。
【００１８】
２次元コード１１は、その正方形のコード領域１が、３つの頂点に対応する隅に配置された３つの位置決め用シンボル２によって定義される
コード領域１は２１×２１セルからなる
コード領域１内の位置決め用シンボル２が配置されていない隅には、人間が目視により読取可能な識別記号３を表示するための記号領域４が形成されている
【００１９】
２次元コード１１は、詳細は後述するが、コード読取装置によって光学的に読み取られる。
位置決め用シンボル２の間には、明セルと暗セル（タイミングセル）を交互に配置してなるタイミングパターン５が設けられており
【００２０】
位置決め用シンボル２は、一辺の長さが７セルに相当する黒い正方形、一辺の長さが５セルに相当する白い正方形、一辺の長さが３セルに相当する黒い正方形を同心状に重ね合わせて得られる図形であ
位置決め用シンボル２が３つ検出されれば、その内側の領域をコード領域１として特定することができる
【００２１】
識別記号３が表示される記号領域４の大きさは９×９セルであり
記号領域４を除くコード領域１のうち、位置決め用シンボル２やタイミングパターン５などを除外した残りの領域（データ領域）６には
２次元に配置されたセル（データセル）を明（白）あるいは暗（黒）に色分けすることにより符号化されたデータ（コード）が表示される。各データセルは１ビットのデータに対応しており、例えば白は１、黒は０を示している
【００２２】
各データセルの位置は、３つの位置決め用シンボル２の中心と２つのタイミングセルを、それぞれ縦方向と横方向の座標の指標として、簡単な計算により求めることができる。このようにして各データセルの位置を特定して、データセルの中心付近が黒であるか白であるかを判定することにより、２値データを得ることができる
【００２３】
２次元コード１１は、コードの一部が汚れていたり破損していたりしてもデータが復元できるように、誤り訂正機能を備えている。この誤り訂正機能は、リードソロモン符号をデータ領域６に配置することにより実現される
ｄ．「【００５２】
上記実施形態において、２次元コード１１の外形は正方形であったが、長方形でもよく、また、大きさについても２１×２１セルに限らず、符号化されるデータの量や記号領域として必要なスペースの大きさなどに基づいて、２次元コードを配置するスペースに納まる範囲内で、ＱＲコードで設定可能な大きさのうちから１つを選択することができる。２次元コードの大きさが決定したら、そのコード領域内に、符号化されたデータを表示するのに必要なスペースをデータ領域として確保すれば、
識別記号の読み取り易さなどを考えて、残りの領域の適当な位置に、適当な大きさ、形の記号領域を配置することができる
【００５３】
例えば、複数の文字からなる識別記号を表示する場合などには、図８（ａ）〜（ｄ）に示すように、記号領域を、位置決め用シンボルに隣接した位置に、コード領域を定義する４辺のうちの一辺に沿うように配置するとよい。ＱＲコードでは、一般的に、２１×２１セルを最小の大きさとして４セルずつの間隔で１７７×１７７セルまでの大きさが設定可能である。ところが、位置決め用シンボルは７×７セルで、その両側に明セルが配置されるため、実質的には８×８セルであり、
データセルは８ビットのコードワードが表示される２×４セルのブロックに分割して用いられる
【００５４】
上記実施形態において、コード作成システムは、コードの大きさ（セル数）、
記号領域の大きさおよび位置は
これらをユーザが指定できるような構成であってもよい
ｅ．
・上記ｃ．の段落【００２１】には、データ領域６は、２次元に配置されたセル（データセル）を明（白）あるいは暗（黒）に色分けすることにより符号化されたデータ（コード）が表示され、各データセルは１ビットのデータに対応しており、例えば白は１、黒は０を示すことが、また、段落【００２３】には、データ領域６に、コードの一部が汚れていたり破損していたりしてもデータが復元できる誤り訂正機能を備えるように、リードソロモン符号が配置されることが記載されている。
　さらに、上記ｄ．の段落【００５３】には、データ領域６のデータセルは８ビットのコードワードが表示される２×４セルのブロックで分割して用いられることが記載されている。
　したがって、引用文献１には、データ領域６は、２次元に配置されたセル（データセル）を明（白）あるいは暗（黒）に色分けすることにより符号化されたデータ（コード）が表示され、各データセルは１ビットのデータに対応しており、例えば白は１、黒は０を示しており、さらに、コードの一部が汚れていたり破損していたりしてもデータが復元できる誤り訂正機能を備えるように、リードソロモン符号が配置され、また、データセルは８ビットのコードワードが表示される２×４セルのブロックで分割して用いられる、ことが記載されているといえる。
　上記引用文献１の記載（特に、下線部。）及び図面並びにこの分野の技術常識を考慮すると、引用文献１には、次の発明（以下、「引用発明」という。）が開示されていると認められる。
　
「３つの頂点に対応する隅に配置された３つの位置決め用シンボル２によって定義され、２１×２１セルからなっている、正方形のコード領域１で構成される２次元コード１１であって、
　位置決め用シンボル２が配置されていない隅に人間が目視により読取可能な識別記号３を表示するための記号領域４が形成され、
　前記位置決め用シンボル２の間には、明セルと暗セル（タイミングセル）を交互に配置してなるタイミングパターン５が設けられ、
　前記記号領域４を除くコード領域１のうち、位置決め用シンボル２やタイミングパターン５などを除外した残りの領域はデータ領域６であり、
　前記データ領域６は、２次元に配置されたセル（データセル）を明（白）あるいは暗（黒）に色分けすることにより符号化されたデータ（コード）が表示され、各データセルは１ビットのデータに対応しており、例えば白は１、黒は０を示しており、さらに、コードの一部が汚れていたり破損していたりしてもデータが復元できる誤り訂正機能を備えるように、リードソロモン符号が配置され、また、データセルは８ビットのコードワードが表示される２×４セルのブロックで分割して用いられ、
　前記位置決め用シンボル２は、一辺の長さが７セルに相当する黒い正方形、一辺の長さが５セルに相当する白い正方形、一辺の長さが３セルに相当する黒い正方形を同心状に重ね合わせて得られる図形であって、位置決め用シンボル２が３つ検出されれば、その内側の領域をコード領域１として特定することができるものであり、
　前記記号領域４は、大きさが９×９セルからなり、
　各データセルの位置は、３つの前記位置決め用シンボル２の中心と２つの前記タイミングセルを、それぞれ縦方向と横方向の座標の指標として、簡単な計算により求めることができ、このようにして各データセルの位置を特定して、データセルの中心付近が黒であるか白であるかを判定することにより、２値データを得ることができる、
　２次元コード１１。」
（イ）周知文献１
　原査定において周知技術を示す文献として引用された、特開２０１２−１８３７２０号公報（以下、「周知文献１」という。）には、図面とともに以下の事項が記載されている。
ａ．「【００１２】
　はじめに、挿入画像が挿入後の２次元コード（ＱＲコード）の例を、図４を用いて説明する。
図４の（ａ）は、星型のマークである挿入画像が２次元コード（ＱＲコード）の中央の位置に挿入された画像の例である。図４の（ｂ）は、列車型のマークである挿入画像が２次元コード（ＱＲコード）の中央の位置に左右に分布した領域において挿入された画像の例である。図４の（ｃ）は、雪だるま型のマークである挿入画像が２次元コード（ＱＲコード）の中央の位置に上下に分布した領域において挿入された画像の例である
ｂ．
（ウ）周知文献２
　原査定において周知技術を示す文献として引用された、特開２００９−２５９１９２号公報（以下、「周知文献２」という。）には、図面とともに以下の事項が記載されている。
ａ．「【０３０７】
　更に、図２６の二次元コード３１０では、コード領域（矩形領域）内において、セルＣとは異なるデザインを挿入するデザイン挿入領域３１１が設けられている。このデザイン挿入領域３１１は、図２７（ａ）のように構成されており、
図２７（ｂ）のような絵柄(（図２７（ｂ）では音符絵柄３１２）、文字、記号等の様々なデザインを挿入して使用される構成となっている
【０３０８】
 　図２７（ａ）に示すように、デザイン挿入領域３１１は、セルＣのサイズよりも広い領域として構成され、且つコードブロック１０の複数のセル位置に跨る構成で配置されている。なお、
図２７（ａ）では、白色で塗り潰されたデザイン挿入領域３１１が構成され、図２７（ｂ）ではこのような白色のデザイン挿入領域３１１に音符絵柄３１２が記録された使用例を示している
【０３０９】
　本実施形態の構成のように、矩形領域内にデザイン挿入領域３１１を設けると、矩形領域内にセル以外のデザインを挿入できるようになり、デザイン性を効果的に高めることができる。特に、デザイン挿入領域３１１がセルのサイズよりも広い領域として構成され、且つコードブロック１０の複数のセル位置に跨る構成で配置されているため、デザイン挿入領域をより広く確保でき、コード利用者により印象付けることができる。
【０３１０】
　なお、図２７（ａ）の例では、白色で塗り潰されたデザイン挿入領域３１１を例示したが、デザイン挿入領域３１１の境界部分全体が、隣接するセルＣとは色彩、濃度、輝度の少なくともいずれかが異なるように構成されていてもよい。その一例としては、例えば、図２７（ｂ）のデザイン挿入領域３１１全体の色を、図２６の二次元コード３１０のコードブロック１０に使用されていない色によって構成する例が挙げられる（例えば、コードブロック１０の各セルが、黒、白、赤、緑、青、黄、シアン、マゼンタによって表現される場合、これら以外の一色（例えばオレンジ等）のみ）によってデザイン挿入領域３１１を構成すればよい）。
【０３１１】
　このように
、デザイン挿入領域３１１における境界部分全体が、隣接するセルと比較して色彩、濃度、輝度の少なくともいずれかが異なるように構成されていると、デザイン挿入領域３１１と、これに隣接するセルとが明確に区別され、デザイン挿入領域３１１をより際立たせることができる
ｂ．【図２６】
ｃ．【図２７】
　上記周知文献１、２の記載及び図面、並びにこの分野の技術常識を考慮すると、次の技術事項事項（以下、「周知の技術」という。）が、本願優先日前において周知の技術と認められる。
「単一の二次元コードにおいて、データを表す複数のセル及び位置検出パターンは配置されない絵柄領域の周囲にデータを表す複数のセルを配置すること。」
　
　
ウ．対比・判断
　補正後の発明と引用発明とを対比する。
　
ａ．引用発明の「データ領域６」の「セル（データセル）」は、「２次元に配置され」「明（白）あるいは暗（黒）に色分けすることにより符号化されたデータ（コード）が表示され、各データセルは１ビットのデータに対応しており例えば白は１、黒は０を示」すものであり、また、「データセルの中心付近が黒であるか白であるかを判定することにより、２値データを得ることができる」ものであるから、引用発明の「データ領域６」の「セル（データセル）」は、補正後の発明の「二次元のマトリックス状のパターンとして配置され、二進コードで表されるデータを表す複数のセル」に相当する。
ｂ．引用発明では「各データセルの位置は、３つの前記位置決め用シンボル２の中心と２つの前記タイミングセルを、それぞれ縦方向と横方向の座標の指標として、簡単な計算により求めることができ、このようにして各データセルの位置を特定」するものであり、「位置決め用シンボル２」は、「各データセルの位置」を特定するのに用いられていることは明らかであるから、引用発明の「位置決め用シンボル２」は、補正後の発明の「複数のセルの位置を決定するために用いられる位置検出パターン」に相当する。
ｃ．補正後の発明の「絵柄」は、本願の詳細な説明の段落【００６３】に「・・・。図８の二次元コードは、ブロック座標（２，５）と（１１，８）を対角とする長方形の
絵柄領域を有し、ＩＤコードと物品名が記載され
ユーザーは、コードを認識する前でも認識対象の概要を判別することが可能である
絵柄領域を有し、数字の画像が付されている
　してみると、引用発明の「識別記号３」は、「人間が目視により読取可能な」記号（文字や数字）であるから、引用発明の「識別記号３」は、補正後の発明の「絵柄」に相当する。
ｄ．さらに、引用発明の「記号領域４」は、「識別記号３を表示する」ものである。
　ここで、引用発明の「データ領域６」は、「コード領域１」のうち、「記号領域４」、「位置決め用シンボル２」、「タイミングパターン５」を「除外した残りの領域」であるから、「記号領域４」には「位置決め用シンボル２」、複数の「セル（データセル）」からなる「データ領域６」は配置されないことは明らかである。
　したがって、引用発明の「記号領域４」と、補正後の発明の「任意の絵柄が配置され、前記複数のセル及び前記位置検出パターンは配置されない絵柄領域であって、周囲には前記複数のセルが配置される絵柄領域」とは、「任意の絵柄が配置され、前記複数のセル及び前記位置検出パターンは配置されない絵柄領域」の点では共通する。
ｅ．引用発明の「データ領域６」は、「コード領域１」のうち、「記号領域４」、「位置決め用シンボル２」、「タイミングパターン５」を「除外した残りの領域」である。
　また、「データ領域６」は、「データ（コード）を表示」するものであって、さらに、「コードの一部が汚れていたり破損していたりしてもデータが復元できる誤り訂正機能を備えるように、リードソロモン符号が配置され、また、８ビットのコードワードが表示される２×４セルのブロックで分割して用いられ」るものであり、ここで、誤り訂正符号にリードソロモン符号を使った場合、誤り訂正はワード単位で行われることは技術常識であり、引用発明の「データ領域６」は誤り訂正の単位である「コードワード」の「２×４セルのブロックに分割」されているといえる。
　したがって、引用発明の「データ領域６」は、補正後の発明の「誤り訂正の単位に応じて、複数のブロックに分割されている」「位置検出パターン及び前記絵柄領域以外の領域」に相当する。
ｆ．引用発明の「２次元コード１１」が単一であることは明らかであるから、引用発明の「２次元コード１１」は、補正後の発明の「単一の二次元コード」に相当する。
　
　したがって、補正後の発明と引用発明とを対比すると、両者は、以下の点で一致し、また、相違している。
　
（一致点）
　「二次元のマトリックス状のパターンとして配置され、二進コードで表されるデータを表す複数のセルと、
　前記複数のセルの位置を決定するために用いられる位置検出パターンと、
　任意の絵柄が配置され、前記複数のセル及び前記位置検出パターンは配置されない絵柄領域と、
を備え、
　前記位置検出パターン及び前記絵柄領域以外の領域は、誤り訂正の単位に応じて、複数のブロックに分割されている単一の二次元コード。」
 　　
（相違点）
　補正後の発明では、「絵柄領域」は「周囲には前記複数のセルが配置される」のに対して、引用発明では、「記号領域」はそのような配置はされていない点。
　上記相違点について検討する。
　上述したように、二次元コードにおいて、データを表す複数のセル及び位置検出パターンは配置されない絵柄領域の周囲にデータを表す複数のセルを配置することは、周知文献１、２にも記載されるように本願の優先日前において周知の技術であったといえる。
　また、引用文献１の段落【００５２】には、記号領域（補正後の発明の「絵柄領域」に相当する。）の配置は、ユーザーが、記号領域の識別記号の読み取り易さ等を考慮して、コード領域内の適当な位置に配置できることが記載されている。
　してみれば、引用発明の記号領域について、識別記号の読み取り易さ等を考慮して、上記周知の技術を適用し、単一の二次元コードにおいて、記号領域（補正後の発明の「絵柄領域」に相当する。）が、周囲に複数のセルが配置される領域とすることは、当業者が容易に想到し得たことである。　　
　　
　そして、補正後の発明の作用効果も、引用発明、及び周知の技術に基づいて当業者が予測できる範囲のものである。
　
　したがって、補正後の発明は、引用発明、及び周知の技術に基づき当業者が容易に発明することができたものであるから、特許法第２９条２項の規定により、特許出願の際独立して特許を受けることができない発明である。
３．結語
　以上のとおり、本件補正は、補正後の発明が特許出願の際独立して特許を受けることができないものであるから、特許法第１７条の２第６項において準用する同法第１２６条第７項の規定に違反するので、同法第１５９条第１項の規定において読み替えて準用する同法第５３条第１項の規定により却下すべきものである
　
第３．本願発明について
１．本願発明
　平成２９年３月６日付けの手続補正は上記のとおり却下されたので、本願の請求項４に係る発明は上記「第２」の「１．」の欄に転記したとおりのものであり、本願の請求項４は、上記「第２」の「１．」の欄に転記した記載事項により規定されるとおりのものである。
　　
２．引用発明
　引用発明等は、上記「第２．補正却下の決定」の項中の「２．補正の適否」の項中の「（２）独立特許要件」の項中の「イ．引用文献、引用発明」の項中の「（ア）引用文献１」の項で「引用発明」として認定したとおりである。
　 　
３．対比・判断
　そこで、本願発明と引用発明を対比するに、本願発明は上記補正後の発明から当該補正に係る限定を省いたものである。
　
　そうすると、本願発明の構成に当該補正に係る限定を付加した補正後の発明が、上記「第２．補正却下の決定」の項中の「２．補正の適否」の項中の「（２）独立特許要件」の項中の「ウ．対比・判断」の項で検討したとおり、上記引用発明及び周知の技術に基づいて当業者が容易に発明することができたものであるから、本願発明も同様の理由により、当業者が容易に発明することができたものである。
　
４．むすび
　以上のとおり、本願発明は、上記引用発明及び周知の技術に基づいて当業者が容易に発明することができたものと認められるから、特許法第２９条２項の規定により特許を受けることができない。
　したがって、本願は、他の請求項について検討するまでもなく、拒絶されるものである。
　よって、結論のとおり審決する。